(57)【要約】【課題】キャビネット上からトッププレート上面の高さをできるだけ低くし、操作する箇所を容易に判別できるように光で誘導する操作しやすいスイッチ部を構成すること。【解決手段】発光部３５と接点端子３８が導光板３１より側方へ配され、上下方向への構造的な積み重ねがなく、薄型化することができる。また、導光板３１により光が導光され、導電膜２８で形成した操作をうながす図柄表示２７を光で浮かび上がらせ、操作を使用者に効果的に認識させ、操作する箇所を容易に判別でき、操作性を向上することができる。【選択図】図２
2008091193.tif 000002
【特許請求の範囲】
【請求項１】
誘導加熱コイルを有する誘導加熱手段と、前記誘導加熱手段の上方に設けられ被加熱物が載置されるトッププレートと、前記トッププレートに設けられた操作部とを具備する誘導加熱調理器において、本体上面に配した光透過性を有する前記トッププレートと、前記トッププレート裏面に操作をうながす図柄表示を非光透過性の導電膜で形成した導電表示部と、一つの操作をうながす図柄表示に対して少なくとも一つ配された前記導電表示部直下に設けた前記導電表示部の一つの操作をうながす図柄表示の投影形状よりも外周方向へ大なる導光板と、前記導光板外周に設けた遮光部材と、前記導光板の側方端面部に配した発光部と、前記導光板および前記発光部より下方に配した前記発光部が接続された制御回路部と、前記導電表示部の端部もしくは前記導電表示部の一部を導電膜で延長した部分に当接するとともに前記発光部と前記導光板の外方に配した導電性の材料からなる前記制御回路部に接続された接点端子と、前記制御回路部に設けた静電容量式のタッチ検知部とで構成され、前記導電表示部の操作をうながす図柄表示に対向する前記トッププレート表面を操作する前記操作部を有する誘導加熱調理器。
【請求項２】
光透過性を有するトッププレートの上面もしくは、前記トッププレート裏面で導電表示部との間に、前記導電表示部を隠蔽する前記導電表示部より濃い色からなる隠蔽印刷膜を形成し、前記隠蔽印刷膜は、発光部の発光時、導光板により導光した光により、前記トッププレート裏面の前記導電表示部を浮き上がらせる光透過性有するものとした請求項１に記載の誘導加熱調理器。
【請求項３】
本体を組み込むキャビネットの開口内に入る本体外郭筐体外周面から外周へ突出し、少なくとも一部分がキャビネット上面に重なる位置に配してなるフレーム部を設け、トッププレート裏面の導電表示部の少なくとも一部と前記導電表示部直下に設けた導光板の少なくとも一部が前記フレーム部上面に重なる位置とし、発光部および接点端子と制御回路部とをキャビネットの開口内に入った本体外郭筐体内に設け、前記導光板の一端が前記発光部まで延びた形状とした請求項１に記載の誘導加熱調理器。
【請求項４】
キャビネットの開口内に入った本体外郭筐体内で下方に曲げた導光板の一端部に発光部を配した請求項３に記載の誘導加熱調理器。
【請求項５】
導電表示部直下の対向する導光板の下面に拡散部を形成した請求項１に記載の誘導加熱調理器。
【請求項６】
フレーム部をアース接続し、導電表示部直下の対向する前記フレーム部に投影形状よりも外周方向へ大なる開口部を設けた請求項３に記載の誘導加熱調理器。
【請求項７】
導光板の下面に白色の樹脂もしくは塗装鋼板で形成する反射板を設けた請求項１記載の誘導加熱調理器。
【請求項８】
導電表示部の一つの操作をうながす図柄表示の１表示につき導光板と発光部とをそれぞれ１つ配し、各前記導光板間を遮光部材により区分けする構成とした請求項１に記載の誘導加熱調理器。
【請求項９】
加熱手段を、左右前方２箇所と中央奥１箇所に設け、各加熱手段に相対する前方部に各加熱手段の操作を行う操作部を設け、中央の操作部は、左右の操作部に比べて、製品向かって奥側に配した請求項１に記載の誘導加熱調理器。
【請求項１０】
トッププレート裏面にトッププレート保持部を設け、導光板および、発光部と制御回路部と接点端子部とのすべてを保持するホルダーを設け、前記ホルダーを前記トッププレート保持部に係止する構成とした請求項１に記載の誘導加熱調理器。
【発明の詳細な説明】
【技術分野】
【０００１】
本発明は、誘導加熱調理器に関するものである。
【背景技術】
【０００２】
誘導加熱を応用した誘導加熱調理器は、高効率、安全、清潔など、多くの特長を有し、テーブルやシステムキッチンのキャビネットに埋め込むビルトイン型の誘導加熱調理器として普及している。普及が進むなかで、調理器としての機能が高度化する一方で操作が複雑化してきている。そこで、操作する箇所を容易に判別できるように光で誘導するなどの操作しやすい機能をもった機器が望まれている。また、ビルトイン型の誘導加熱調理器において、キャビネット上のトッププレート上面の高さをできるだけ低くし、キッチンと一体感をだすデザインとし、かつ誘導加熱調理器の実使用において、使用頻度の高いスイッチ部を、本体のトッププレートに配置する形態を要望する声は年々高くなってきている。
【０００３】
従来、この種の光で操作を認識させる操作スイッチとしては、例えば、特許文献１に記載されているようなものがあった。
【０００４】
図８は、特許文献１に記載された従来の操作スイッチを示すものである。図８に示すように、一方の面に検出素子１と発光素子２とが設けられるプリント配線基板３と、プリント配線基板３の検出素子１と発光素子２とが設けられた領域上に位置するように配設されるケース本体４と、ケース本体４内に移動可能に取り付けられると共に検出素子１に検出される被検出部５が設けられる可動部材６と、可動部材６をプリント配線基板３から離間する方向に付勢する付勢部材７と、可動部材６に直接又は間接的に取り付けられるカバー部材８と、一端が上記発光素子２の近傍に位置するように上記ケース本体内に固定され発光素子２で発光された光をカバー部材８側へ導光する導光部材９とを備え、検出素子１が「可動部材６が押圧されてスイッチ装置がオン状態であること」を判断すると、プリント配線基板３に形成されている制御回路により、発光素子２を所定の色に発光させるように制御される。発光素子２より発光された光は、導光部材９の一端から入り込み、上端に導かれる。上端に到達した光は、導光部材９の上端面に施された拡散部材１０によりカバー部材の表面を均一に発光させ、オン状態であることを示す構成となっている。
【特許文献１】特開２００５−８５５０６号公報
【発明の開示】
【発明が解決しようとする課題】
【０００５】
しかしながら、誘導加熱調理器において、キッチンのキャビネットに組み込んだタイプで、キャビネット上からトッププレート上面の高さをできるだけ低くし、実使用において使用頻度の高いスイッチ部をトッププレート手前部に配置しようとした場合、キャビネット上面に重なる位置のトッププレート下面との間にスイッチ部を構成する必要があり、すなわちスイッチ部の構成を薄型化する必要があるが、前記従来のスイッチ構成では、導光部と発光部および操作部、検知部が上下方向に積み上げられた構成であったため、薄型化し、キャビネット上からトッププレート上面の高さをできるだけ低くし、実使用において使用頻度の高いスイッチ部をトッププレート手前部でキャビネット上面に重なる位置のトッププレート下面との間に配置し、操作する箇所を容易に判別できるように光で誘導する操作しやすいスイッチ部を構成することが困難であるという課題を有していた。
【０００６】
本発明は、前記従来の課題を解決するもので、操作する箇所を容易に判別できるように光で誘導し、かつキャビネット上からトッププレート上面の高さをできるだけ低くし、実使用において使用頻度の高いスイッチ部をトッププレート手前部に配置することで、誰にでも簡単に操作ができる使い勝手の良い誘導加熱調理器を提供することを目的とする。
【課題を解決するための手段】
【０００７】
前記従来の課題を解決するために、本発明の誘導加熱調理器は、誘導加熱コイルを有する誘導加熱手段と、前記誘導加熱手段の上方に設けられ被加熱物が載置されるトッププレートと、前記トッププレートに設けられた操作部とを具備する誘導加熱調理器において、本体上面に配した光透過性を有する前記トッププレートと、前記トッププレート裏面に操作をうながす図柄表示を非光透過性の導電膜で形成した導電表示部と、一つの操作をうながす図柄表示に対して少なくとも一つ配された前記導電表示部直下に設けた前記導電表示部の一つの操作をうながす図柄表示の投影形状よりも外周方向へ大なる導光板と、前記導光板外周に設けた遮光部材と、前記導光板の側方端面部に配した発光部と、前記導光板および発光部より下方に配した前記発光部が接続された制御回路部と、前記導電表示部の端部もしくは前記導電表示部の一部を導電膜で延長した部分に当接し前記発光部と前記導光板の外方に配した導電性の材料からなる前記制御回路部に接続された接点端子と、制御回路部に設けた静電容量式のタッチ検知部とで構成され、前記導電表示部の操作をうながす図柄表示に対向する前記トッププレート表面を操作する前記操作部を有するものである。
【０００８】
これによって、キャビネット上面に重なる位置のトッププレート下面の間には、導電膜で形成した導電表示部と、導電表示部を光って浮かび上がらせる導光板が配置され、その他発光部と、制御回路部と、接点端子は、キャビネットの開口内にはいる本体内に構成することができ、薄型化することができる。また、加熱部から離れた位置で操作でき、加熱中でも手を触れて操作する導電表示部で表示されたトッププレート上面の操作部の温度が高くならず、安全に使用できる。また、導光板により光が導光され、絵柄、図柄などの表示を抜き文字で非光透過性の導電膜で形成した導電表示部を光で浮かび上がらせ、操作を使用者に効果的に認識させる。また、静電容量式のタッチ検知方式であるため、構造物を可動させて操作検知する方式に比べ耐久性に優れている。
【発明の効果】
【０００９】
本発明の誘導加熱調理器は、前記従来の課題を解決するもので、操作する箇所を容易に判別できるように光で誘導し、かつキャビネット上からトッププレート上面の高さをできるだけ低くし、実使用において使用頻度の高いスイッチ部をトッププレート手前に配置することで、加熱部から離れた位置で安全に、誰にでも簡単に操作ができ、使い勝手が良く、耐久性に優れる。
【発明を実施するための最良の形態】
【００１０】
第１の発明は、誘導加熱コイルを有する誘導加熱手段と、前記誘導加熱手段の上方に設けられ被加熱物が載置されるトッププレートと、前記トッププレートに設けられた操作部とを具備する誘導加熱調理器において、本体上面に配した光透過性を有する前記トッププレートと、前記トッププレート裏面に操作をうながす図柄表示を非光透過性の導電膜で形成した導電表示部と、一つの操作をうながす図柄表示に対して少なくとも一つ配された前記導電表示部直下に設けた前記導電表示部の一つの操作をうながす図柄表示の投影形状よりも外周方向へ大なる導光板と、前記導光板外周に設けた遮光部材と、前記導光板の側方端面部に配した発光部と、前記導光板および前記発光部より下方に配した前記発光部が接続された制御回路部と、前記導電表示部の端部もしくは前記導電表示部の一部を導電膜で延長した部分に当接し前記発光部と前記導光板の外方に配した導電性の材料からなる前記制御回路部に接続された接点端子と、前記制御回路部に設けた静電容量式のタッチ検知部とで構成され、前記導電表示部の操作をうながす図柄表示に対向する前記トッププレート表面を操作する前記操作部とすることにより、発光部と接点端子が導光板より側方へ配され、上下方向への構造的な積み重ねがなく、薄型化することができる。また、導光板により光が導光され、非光透過性の導電膜で形成した導電表示部の操作をうながす図柄表示を光で浮かび上がらせ、操作を使用者に効果的に認識させ、操作する箇所を容易に判別でき、操作性を向上することができる。また、静電容量式のタッチ検知方式であるため、可動機構がなく、構造物を可動させて操作検知する方式に比べ耐久性を向上することができる。
【００１１】
第２の発明は、特に、第１の発明の光透過性を有するトッププレートの上面もしくは、前記トッププレート裏面で導電表示部との間に、前記導電表示部を隠蔽する前記導電表示部より濃い色からなる隠蔽印刷膜を形成し、前記隠蔽印刷膜は、発光部の発光時、導光板により導光した光により、前記トッププレート裏面の前記導電表示部を浮き上がらせる光透過性有するものとすることにより、操作する表示部が隠蔽されたり、光透過されることで、使用者が操作を容易に識別することができ、操作性を向上することができる。
【００１２】
第３の発明は、特に、第１の発明の本体を組み込むキャビネットの開口内に入る本体外郭筐体外周面から外周へ突出し、少なくとも一部分がキャビネット上面に重なる位置に配してなるフレーム部を設け、トッププレート裏面の導電表示部の少なくとも一部と前記導電表示部直下に設けた導光板の少なくとも一部が前記フレーム部上面に重なる位置とし、発光部および接点端子と制御回路部をキャビネットの開口内に入った本体外郭筐体内に設け、前記導光板の一端が前記発光部まで延びた形状とすることにより、キャビネット上面のフレーム部に構成される部材が、トッププレートと導光板で、薄型に構成できるとともに、トッププレート裏面の導電表示部がキャビネット上面の箇所まで設けることができ、加熱部から離れた位置で操作でき、加熱中でも手を触れて操作する導電表示部で表示されたトッププレート上面の操作部の温度が高くならず、安全に使用できる。キャビネット上からトッププレート上面の高さをできるだけ低くし、実使用において使用頻度の高いスイッチ部をトッププレート前方の手が届きやすい位置に配置することができ、使い勝手を向上することができる。
【００１３】
第４の発明は、特に、第３の発明のキャビネットの開口内に入った本体外郭筐体内で下方に曲げた導光板の一端部に発光部を配した構成とすることにより、発光部を下方に設けることで、加熱時の発光部への熱影響を低減することができる。
【００１４】
第５の発明は、特に、第１の発明の導電表示部直下の対向する導光板の下面に拡散部を形成することにより、拡散部で光を拡散させ光ムラを低減し、表示を明確に浮き出させ、視認性を向上することができる。
【００１５】
第６の発明は、特に、第３の発明のフレーム部をアース接続し、導電表示部の一つの操作をうながす図柄表示の直下の対向する前記フレーム部に導電表示部の一つの操作をうながす図柄表示の投影形状よりも外周方向へ大なる開口部を設けることにより、フレーム部の静電容量変化の検知に対する影響を低減し、使用者が操作した際の表面接触による静電容量変化を安定して検出することができ、検知性能を向上することができる。
【００１６】
第７の発明は、特に、第１の発明の導光板の下面に白色の樹脂もしくは塗装鋼板で形成する反射板を設けることにより、導光を効果的に上方へ反射することができ、表示を明確に浮き出させ、視認性を向上することができる。
【００１７】
第８の発明は、特に、第１の発明の導電表示部の一つの操作をうながす図柄表示１表示につき導光板と発光部をそれぞれ１つ配し、各導光板間を遮光部材により区分けする構成とすることにより、導光を区分することができ、各表示を操作に必要な箇所のみ発光表示することができ、操作を使用者へよりわかりやすく視認させることができる。
【００１８】
第９の発明は、特に、第１の発明の加熱手段を、左右前方２箇所と中央奥１箇所に設け、各加熱手段に相対する前方部に各加熱手段の操作を行う操作部を設け、中央の操作部は、左右の操作部に比べて、製品向かって奥側に配することにより、各加熱手段の操作部の位置を使用者へよりわかりやすく視認させることができる。
【００１９】
第１０の発明は、特に、第１の発明のトッププレート裏面にトッププレート保持部を設け、導光板および、発光部と制御回路部と接点端子部すべてを保持するホルダーを設け、前記ホルダーを前記トッププレート保持部に係止する構成とすることにより、導電表示部と導光部および発光部の位置を精度よく固定できる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の全体構成概略図を示すものである。図２は、本発明の第１の実施の形態における誘導加熱調理器の操作部要部断面図を示すものである。図３は、本発明の第１の実施の形態におけるキャビネットに組み込んだ誘導加熱調理器のキャビネットと本体外郭外郭筐体の組み込み状態図を示すものである。図４は、本発明の第１の実施の形態における誘導加熱調理器の加熱部と表示部と操作部の位置関係図を示すものである。図５は、本発明の第１の実施の形態における誘導加熱調理器の表示部と操作部を構成するユニットの拡大図を示すものである。図６は、本発明の第１の実施の形態における誘導加熱調理器のトップユニットへの表示部と操作部を構成するユニットの取り付け図を示すものである。図７は、本発明の第１の実施の形態における誘導加熱調理器の操作動作状態図を示すものである。
【００２２】
図１に示すように、キャビネット１１には、本体を組み込む開口穴１２が設けてある。キャビネット１１の上面に開口穴１２を覆う広さの結晶化ガラスで形成した光透過性を有するトッププレート１３を配している。図２に示すように、トッププレート１３裏面の外周部にトッププレートを下から保持するトッププレート保持部１４をシリコン接着材により接着し、さらに、トッププレートの外周上部から側方部そしてトッププレート保持部下面の外周端部を抱え込む断面がコの字状のトップフレーム１５をシリコン接着材により接着し、トッププレートの外周を保護している。トップフレームは、ステンレス鋼板やホーロー鋼板のような金属の薄板よりなり、引っ掻き等に対して十分な強度を有している。また、フレーム部も溶融亜鉛めっき鋼板の薄板により形成され、キャビネット１１に本体外郭筐体を宙吊りするに耐えうる強度を有している。
【００２３】
また、図３に示すように、キャビネット１１の開口穴１２内に、本体外郭筐体１６が収まっており、本体外郭筐体１６外周面から外周へ突出した四辺のフレーム部１７がキャビネット１１上面に重なる位置に形成されており、キャビネット１１の開口穴１２内に収まった本体外郭筐体１６を支持している。また、フレーム部１７はアースに接続されている。
【００２４】
図１に示すように、トップフレームの内側のトッププレート下面で、キャビネット１１の開口穴内に収まった本体外郭筐体１６内の左右前方に、トッププレート１３上面に置いた鍋を誘導加熱する右加熱コイル１８と左加熱コイル１９を設け、さらに中央奥に１口の電熱線を用いたラジェントヒーター２０を設けている。そしてさらに、右加熱コイル１８と左加熱コイル１９とラジェントヒーター２０の直上方のトッププレート１３に加熱部を表す略円形模様を印刷し、使用者へ鍋を置く位置を容易に認識できるようにしている。
【００２５】
図４に示すように、トッププレート１３内の右加熱コイル１８の前方に右加熱コイル１８に対応する動作状態を表す右表示部２１とさらにその右表示部２１の前方に右操作部２２を設けている。また、同様に左加熱コイル１９の前方に左加熱コイル１９に対応する動作状態を表す左表示部２３とさらにその左表示部２３の前方に右操作部２４を設けている。また、同様にラジェントヒーター２０の前方にラジェントヒーター２０に対応する動作状態を表す中央表示部２５とさらにその中央表示部の前方に中央操作部２６を設けている。ここで、中央操作部は、左右操作部に比べて、製品向かって奥側に配している。中央操作部は、左右操作部に比べて、製品向かって奥側に配することにより、各加熱手段の操作部の位置を使用者へよりわかりやすく視認させることができる。
【００２６】
図２に示すように、本体上面に配した光透過性を有するトッププレート裏面に操作をうながす図柄表示２７加熱切／入、アップダウンなどを非光透過性の導電膜２８で形成した導電表示部２９を印刷している。トッププレート裏面で導電表示部との間には、導電表示部を隠蔽する導電表示部より濃い黒色からなる隠蔽印刷膜３０を印刷して焼成している。
【００２７】
一つの操作をうながす図柄表示たとえば加熱アップ「△」の直下に加熱アップ「△」の投影形状よりも外周方向へ大きな導光板３１を設けている。一つの操作をうながす図柄表示たとえばこの加熱アップ「△」の直下の導光板の下面には凹凸形状により形成した拡散部３２を設けている。さらに拡散部を形成した導光板の下面に、白色の樹脂で形成した反射板３３を配している。
【００２８】
またさらに、一つの操作をうながす図柄表示たとえばこの加熱アップ「△」の直下の対向するアース接続されたフレーム部に、図柄表示加熱アップ「△」の投影形状よりも外周方向へ大なる開口部３４を設けている。
【００２９】
ここで、トッププレート裏面の導電表示部の図柄表示と直下に設けた導光板の少なくとも一部がフレーム部上面に重なる位置に配している。
【００３０】
キャビネット１１の開口内に入った本体外郭筐体１６内の導光板３１やフレーム部１７より下方にＬＥＤで構成した発光部３５を設け、そして導光板３１をキャビネット１１の開口内に入った本体外郭筐体１６内で下方に曲げ、導光板３１の一端面が発光部３５まで延びた形状としている。
【００３１】
また、特に図５に示すように、一つの操作をうながす図柄表示１表示につき導光板と発光部をそれぞれ１つ配し、各導光板間たとえば、加熱アップ「△」とダウン「▽」のそれぞれ直下に別々に配された導光板間には白色に着色した樹脂材料で形成した遮光部材３６を配して区分けしている。
【００３２】
図２に示すように、キャビネット１１の開口内に入った本体外郭筐体１６内の導光板３１および発光部３５やフレーム部１７より下方に設けた制御回路部３７に発光部３５がリード線接続されている。
【００３３】
一つの操作をうながす導電膜２８で形成された図柄表示２７、たとえば、加熱アップ「△」の一部を、キャビネット１１の開口内に入った本体外郭筐体１６内の上方まで、導電膜２８で延長し、その部分に銅の板材で形成した接点端子３８を当接させる。ここで接点端子３８は発光や導光の妨げにならないように発光部３５と導光板３１の外方すなわち本体外郭筐体１６内の内方に配され、制御回路部３７に接続されている。そして、制御回路部３７には、図柄表示２７に対向するトッププレート１３表面の操作を検知するマイコンによる静電容量式のタッチ検知部を有している。
【００３４】
また、接点端子３８がトッププレート１３の裏面の導電膜２８に押し付けられる状態で取り付けられている。接点端子３８は、弾力性を持つ形状をもって金属の薄板で構成し、常時トッププレート１３の導電膜２８に接触しているようにし、取り付けの位置が決まるように樹脂のパーツホルダー３９に固定されている。
【００３５】
さらに、図６に示すように、導光板３１、反射板３３、遮光部材３６、および、発光部３５と制御回路部３７と接点端子３８すべてを保持するホルダー４０を本体外郭筐体１６内に位置するように設け、このホルダー４０をトッププレート保持部１４にねじにより係止する構成としている。
【００３６】
また、トッププレート１３下方の本体外郭筐体１６内には鍋を誘導加熱する右加熱コイル１８と左加熱コイル１９とリード線により接続され、通電制御するインバータ回路、およびラジェントヒーターとリード線により接続され、加熱する通電制御回路を有するメイン回路部４１を本体内に設けている。またさらに、制御回路部３７とメイン回路部４１はリード線により接続され、命令信号のやりとりができるようになっている。
【００３７】
以上のように構成された誘導加熱調理器について、以下その動作、作用を説明する。加熱コイルは、メイン回路部４１のインバータ回路から電流の供給を受けて磁界を発生させ、被加熱物である調理物の入った鍋に渦電流を発生し、発熱させて調理を行うことができる。また、ラジェントヒーター２０はメイン回路部４１の通電制御回路より電流を供給され発熱する。この加熱を制御回路部３７が制御しており、マイコンによる静電容量式のタッチ検知部有するこの制御回路部３７が使用者の操作タッチによる命令を各回路へ伝え、コントロールしている。
【００３８】
そして使用者がタッチすると、表面接触による静電容量変化を制御回路部３７で検出してその信号をマイコンで処理し動作する構成である。そしてパーツホルダー内の接点端子３８近傍に設けた表示部のＬＥＤを点滅及び点灯して使用者に知らせる。また、フレーム部１７をアース接続し、導電表示部の一つの操作をうながす図柄表示の直下の対向するフレーム部１７に導電表示部の一つの操作をうながす図柄表示２７の投影形状よりも外周方向へ大なる開口部を設けていることで、フレーム部１７の静電容量変化の検知に対する影響を低減することができる。
【００３９】
図７に示すように、まず電源が入っていない状態では、トッププレート１３裏面の導電表示部との間に、導電表示部を隠蔽する導電表示部より濃い黒色からなる隠蔽印刷膜３０を印刷して焼成しているため、黒い印刷が使用者から見えている。
【００４０】
電源が入った状態で、加熱「入」の直下に配された導光板３１に、対応する発光部３５が発光し、光が導光され、遮光部材３６により他への光もれがなく、光が拡散部３２の凹凸により、一様になり、また、反射板３３により光を上方へ反射させ、非光透過性の導電膜２８で形成した導電表示部２９の操作をうながす左右中央の操作部の図柄表示加熱「入」が光で浮かび上がり、その「入」をタッチすれば加熱が行うことができることを使用者に効果的に認識させる。
【００４１】
右操作部の「入」をタッチすると、表面接触による静電容量変化を制御回路部３７で検出してその信号をマイコンで処理し、右操作部２２のみ「入」を光らせていた発光部３５は消灯し、かわりに「切」「△（アップ）」「▽（ダウン）」に対応する発光部３５が発光し、表示を浮かび上がらせ、インバータ回路部より右加熱コイル１８に電流が供給され、鍋の誘導加熱がはじまる。また同時に、右表示部にＬＥＤ発光により加熱が行われている加熱コイルが、右の加熱コイルであることを使用者に効果的に認識させる。また、次に操作できる内容が、「切」「△（アップ）」「▽（ダウン）」のみであることを使用者に効果的に認識させる。
【００４２】
また、キャビネット１１上面のフレーム部１７に構成される部材が、トッププレート１３と導光板３１で、薄型に構成できるとともに、トッププレート１３裏面の導電表示部２９がキャビネット１１上面の箇所まで設けることができ、加熱部から離れた位置で操作でき、加熱しても、温度勾配により、加熱中でも手を触れて操作する導電表示部で表示されたトッププレート上面の操作部の温度が高くなることを低減できる。また、発光部を下方に設けることで、加熱時の発光部への熱影響を低減することができる。
【００４３】
以上のように本実施の形態においては、本体上面に配した光透過性を有するトッププレートと、トッププレート裏面に操作をうながす図柄表示を非光透過性の導電膜で形成した導電表示部と、一つの操作をうながす図柄表示に対して少なくとも一つ配された導電表示部直下に設けた導電表示部の一つの操作をうながす図柄表示の投影形状よりも外周方向へ大なる導光板と、導光板外周に設けた遮光部材と、導光板の側方端面部に配した発光部と、導光板および発光部より下方に配した発光部が接続された制御回路部と、導電表示部の端部もしくは導電表示部の一部を導電膜で延長した部分に当接し発光部と導光板の外方に配した導電性の材料からなる前記制御回路部に接続された接点端子と、制御回路部に設けた静電容量式のタッチ検知部とで構成された操作部とすることにより、発光部と接点端子が導光板より側方へ配され、上下方向への構造的な積み重ねがなく、薄型化することができる。また、導光板により光が導光され、非光透過性の導電膜で形成した導電表示部の操作をうながす図柄表示を光で浮かび上がらせ、操作を使用者に効果的に認識させ、操作する箇所を容易に判別でき、操作性を向上することができる。また、静電容量式のタッチ検知方式であるため、可動機構がなく、構造物を可動させて操作検知する方式に比べ耐久性を向上することができる。
【００４４】
また、光透過性を有するトッププレートの上面もしくは、トッププレート裏面で導電表示部との間に、導電表示部を隠蔽する導電表示部より濃い色からなる隠蔽印刷膜を形成し、前記隠蔽印刷膜は、発光部の発光時、導光板により導光した光により、トッププレート裏面の導電表示部を浮き上がらせる光透過性有するものとすることにより、操作する表示部が隠蔽されたり、光透過されることで、使用者が操作を容易に識別することができ、操作性を向上することができる。
【００４５】
また、本体を組み込むキャビネット１１の開口内に入る本体外郭筐体外周面から外周へ突出し、少なくとも一部分がキャビネット１１上面に重なる位置に配してなるフレーム部を設け、トッププレート裏面の導電表示部の少なくとも一部と導電表示部直下に設けた導光板の少なくとも一部がフレーム部上面に重なる位置とし、発光部および接点端子と制御回路部をキャビネット１１の開口内に入った本体外郭筐体内に設け、前記導光板の一端が発光部まで延びた形状とすることにより、キャビネット１１上面のフレーム部に構成される部材が、トッププレートと導光板で、薄型に構成できるとともに、トッププレート裏面の導電表示部がキャビネット１１上面の箇所まで設けることができ、加熱部から離れた位置で操作でき、加熱中でも手を触れて操作する導電表示部で表示されたトッププレート上面の操作部の温度が高くならず、安全に使用できる。キャビネット１１上からトッププレート上面の高さをできるだけ低くし、実使用において使用頻度の高いスイッチ部をトッププレート前方の手が届きやすい位置に配置することができ、使い勝手を向上することができる。
【００４６】
また、キャビネット１１の開口内に入った本体外郭筐体内で下方に曲げた導光板の一端部に発光部を配した構成とすることにより、発光部を下方に設けることで、加熱時の発光部への熱影響を低減することができる。
【００４７】
またさらに、導電表示部直下の対向する導光板の下面に拡散部を形成することにより、拡散部で光を拡散させ光ムラを低減し、表示を明確に浮き出させ、視認性を向上することができる。
【００４８】
また、フレーム部をアース接続し、導電表示部の一つの操作をうながす図柄表示の直下の対向するフレーム部に導電表示部の一つの操作をうながす図柄表示の投影形状よりも外周方向へ大なる開口部を設けることにより、フレーム部の静電容量変化の検知に対する影響を低減し、使用者が操作した際の表面接触による静電容量変化を安定して検出することができ、検知性能を向上することができる。
【００４９】
また、導光板の下面に白色の樹脂もしくは塗装鋼板で形成する反射板を設けることにより、導光を効果的に上方へ反射することができ、表示を明確に浮き出させ、視認性を向上することができる。
【００５０】
また、導電表示部の一つの操作をうながす図柄表示１表示につき導光板と発光部をそれぞれ１つ配し、各導光板間を遮光部材により区分けする構成とすることにより、導光を区分することができ、各表示を操作に必要な箇所のみ発光表示することができ、操作を使用者へよりわかりやすく視認させることができる。
【００５１】
またさらに、加熱手段を、左右前方２箇所と中央奥１箇所に設け、各加熱手段に相対する前方部に各加熱手段の操作を行う操作部を設け、中央の操作部は、左右の操作部に比べて、製品向かって奥側に配することにより、各加熱手段の操作部の位置を使用者へよりわかりやすく視認させることができる。
【００５２】
また、トッププレート裏面にトッププレート保持部を設け、導光板および、発光部と制御回路部と接点端子部すべてを保持するホルダーを設け、ホルダーをトッププレート保持部に係止する構成とすることにより、導電表示部と導光部および発光部の位置を精度よく固定できる。
【産業上の利用可能性】
【００５３】
以上のように、本発明にかかる誘導加熱調理器は、操作する箇所を容易に判別できるように光で誘導し、かつキャビネット上からトッププレート上面の高さをできるだけ低くし、実使用において使用頻度の高いスイッチ部をトッププレート手前に配置することで、加熱部から離れた位置で安全に、誰にでも簡単に操作ができて使い勝手が良く、また耐久性に優れているため、据え置き型、卓上型の加熱調理器および、組み込み型、据え置き型のガス調理器などの用途にも適用できる。
【図面の簡単な説明】
【００５４】
【図１】本発明の第１の実施の形態における誘導加熱調理器の全体構成概略図
【図２】本発明の第１の実施の形態における誘導加熱調理器の操作部要部断面図
【図３】本発明の第１の実施の形態におけるキャビネットに組み込んだ誘導加熱調理器のキャビネットと本体外郭外郭筐体の組み込み状態図
【図４】本発明の第１の実施の形態における誘導加熱調理器の加熱部と表示部と操作部の位置関係図
【図５】本発明の第１の実施の形態における誘導加熱調理器の表示部と操作部を構成するユニットの拡大図
【図６】本発明の第１の実施の形態における誘導加熱調理器のトップユニットへの表示部と操作部を構成するユニットの取り付け図
【図７】本発明の第１の実施の形態における誘導加熱調理器の操作動作状態図
【図８】従来の操作スイッチの構成概略図
【符号の説明】
【００５５】
１１  キャビネット
１２  開口穴
１３  トッププレート
１４  トッププレート保持部
１５  トップフレーム
１６  本体外郭筐体
１７  フレーム部
１８  右加熱コイル
１９  左加熱コイル
２０  ラジェントヒーター
２１  右表示部
２２  右操作部
２３  左表示部
２４  左操作部
２５  中央表示部
２６  中央操作部
２７  図柄表示
２８  導電膜
２９  導電表示部
３０  隠蔽印刷膜
３１  導光板
３２  拡散部
３３  反射板
３４  開口部
３５  発光部
３６  遮光部材
３７  制御回路部
３８  接点端子
３９  パーツホルダー
４０  ホルダー
４１  メイン回路部
【図１】
2008091193.tif 000003
【図２】
2008091193.tif 000004
【図３】
2008091193.tif 000005
【図４】
2008091193.tif 000006
【図５】
2008091193.tif 000007
【図６】
2008091193.tif 000008
【図７】
2008091193.tif 000009
【図８】
2008091193.tif 000010